(57)【要約】計時器は、ハウジング（１２）に取り付けられた回転自在のベゼル（１４）を含む。ハウジング（１２）の内側の収納領域（３０）は、折り畳んだ即ちくしゃくしゃにした複数のセクタエレメント（３２）を収容する。ベゼル（１４）を回転することにより、ベゼルの戻り止め（４８、５０）でセクタエレメント（３２）のワイヤ（４６）を収納領域から押し出し、ハウジングに取り付けられた従来の中実の文字盤（２０）をワイヤ及びセクタエレメントで覆い、これによって文字盤の外観を変更する。
2004522978.tif 000002
【特許請求の範囲】
【請求項１】
変更可能な文字盤を持つ計時器であって、
ハウジング、及び
前記ハウジング内で引っ込め位置と一つの表示面を形成する拡張位置との間で移動自在の複数の表示面セクタエレメント
を含む、計時器。
【請求項２】
請求項１に記載の計時器において、前記ハウジングに取り付けられた第２の表示面を含む、計時器。
【請求項３】
請求項２に記載の計時器において、前記表示面セクタエレメントは、前記ハウジング内で、前記一つの表示面を形成する前記拡張位置と前記一つの時間表示面を引っ込めて前記第２の時間表示面を露呈する前記引っ込め位置との間で、移動自在である、計時器。
【請求項４】
請求項２に記載の計時器において、前記第２の時間表示面は、前記一つの時間表示面と同軸の関係である、計時器。
【請求項５】
請求項４に記載の計時器において、前記第２の時間表示面は、前記ハウジング内で前記第１の時間表示面の下に同軸に配置されている、計時器。
【請求項６】
請求項１に記載の計時器において、前記移動自在のセクタエレメントの各々は、前記拡張位置において、前記一つの時間表示面の実質的に平らな部分を形成する、計時器。
【請求項７】
請求項１に記載の計時器において、前記表示面セクタエレメントは、前記引っ込め位置において、計時器ハウジング内に収納されている、計時器。
【請求項８】
請求項２に記載の計時器において、前記第２の時間表示面は、横方向に移動自在の複数のセクタエレメントを含む、計時器。
【請求項９】
請求項１に記載の計時器において、前記セクタエレメントは、可撓性シート材料で形成されている、計時器。
【請求項１０】
請求項１に記載の計時器において、前記セクタエレメントは布で形成されている、計時器。
【請求項１１】
請求項１に記載の計時器において、前記可撓性セクタエレメントはゴム様材料で形成されている、計時器。
【請求項１２】
請求項１に記載の計時器において、前記セクタエレメントはプラスチックフィルム材料で形成されている、計時器。
【請求項１３】
請求項３に記載の計時器において、前記セクタエレメントはテキスタイル材料で形成されている、計時器。
【請求項１４】
請求項２に記載の計時器において、前記第２の表示面は、引っ込め位置と前記第２表示面を形成する延長位置との間で移動自在の複数のセクタエレメントを含む、計時器。
【請求項１５】
請求項１に記載の計時器において、前記引っ込め位置において前記セクタエレメントを収納するための収納領域が前記ハウジングに設けられている、計時器。
【請求項１６】
請求項１に記載の計時器において、前記セクタエレメントは、印が付けてある表面部分を含む、計時器。
【請求項１７】
請求項９に記載の計時器において、前記引っ込め位置において前記セクタエレメントを収納するために前記ハウジングに形成された収納領域を含み、
各可撓性セクタエレメントは頂部分及びベース部分を有し、
前記セクタエレメントの各々の前記ベース部分は前記ハウジングに連結されており、
前記セクタエレメントを前記拡張位置から前記引っ込め位置まで又は前記引っ込め位置から前記拡張位置まで移動するための、前記ハウジングに取り付けられたアクチュエータ手段を有する、計時器。
【請求項１８】
請求項１７に記載の計時器において、前記アクチュエータ手段は、
第１端及び第２端を各々有し、前記第１端の各々は前記複数のセクタエレメントのうちの一つの頂部に連結されている、複数のワイヤ部材を有し、
前記アクチュエータ手段は、前記ワイヤ部材及び前記可撓性セクタエレメントが前記収納位置に配置される前記引っ込め位置から前記可撓性セクタエレメントが前記一つの文字盤を形成する延長位置まで前記ワイヤ部材及び前記可撓性セクタエレメントを可逆的に移動させるため、前記ワイヤ部材の各々の前記第２端と係合する、計時器。
【請求項１９】
請求項１８に記載の計時器において、前記アクチュエータ手段はベゼルを有し、このベゼルは前記ハウジングに回転自在に取り付けられている、計時器。
【請求項２０】
請求項１８に記載の計時器において、前記アクチュエータ手段は、
前記ハウジングに回転自在に取り付けられたリングギヤ、及び
前記ハウジングに回転自在に取り付けられた複数のピニオンギヤであって、これらのピニオンギヤの各々は前記リングギヤと噛み合った状態で配置されており、前記ワイヤ部材の各々の前記第２端が取り付けられている、ピニオンギヤを含む、計時器。
【請求項２１】
請求項２０に記載の計時器において、
使用者が前記リングギヤを回転するため、前記リングギヤに取り付けられたスライドボタンを更に含む、計時器。
【請求項２２】
請求項２０に記載の変更可能な文字盤を持つ計時器において、
前記ハウジングに摺動自在に取り付けられた、第１端を持つ第１ラック部材、
前記第１ラック部材の前記第１端に取り付けられた第１押しボタン、
前記ハウジングに回転自在に取り付けられた、前記第１ラックと噛み合った状態で分散された第１駆動ピニオン、及び
前記第１ラック部材の移動に応じて前記リングギヤを回転するため、前記第１駆動ピニオンと前記複数のピニオンギヤのうちの選択された一つのピニオンギヤとを連結する第１駆動コネクタを更に含む、計時器。
【請求項２３】
請求項２２に記載の計時器において、
前記ハウジングに摺動自在に取り付けられた、第１端を持つ第２ラック部材、
前記ラック部材の前記第１端に取り付けられた第２押しボタン、
前記ハウジングに回転自在に取り付けられた、前記第２ラック部材と噛み合った状態で配置された第２駆動ピニオン、及び
前記第２ラック部材の移動に応じて前記リングギヤを回転するため、前記第２駆動ピニオンと前記複数のピニオンギヤのうちの選択された第２の一つのピニオンギヤとを連結する第２駆動コネクタを更に含む、計時器。
【請求項２４】
変更可能な文字盤を持つ計時器において、
ハウジング、
前記ハウジングに取り付けられた文字盤、及び
前記ハウジングにこのハウジング内で互いに重ねて取り付けられた複数の選択可能な文字盤アッセンブリであって、これらの複数の文字盤アッセンブリの各々は、前記ハウジング内で第１の時間表示面を画成する拡張位置と第２の時間表示面を露呈する引っ込め位置との間で横方向に移動自在の複数のセクタエレメントを含む、文字盤アッセンブリを含む、計時器。
【発明の詳細な説明】
【技術分野】
【０００１】
本発明は、全体として計時器の分野に関し、更に詳細には、計時器の外観を容易に且つ便利に変更できる変更可能な文字盤を持つ計時器に関する。
【背景技術】
【０００２】
計時器と関連した従来技術には、以下の米国特許が含まれる。
サト等に付与された米国特許第５，１６１，１３０号には、横方向に作動するように定置のシャフトに枢着された一対の文字盤ピースを持つ時計が示してある。閉鎖位置では、二つの文字盤ピースが一つの時間表示面を画成する。駆動モータを作動させると、文字盤ピースが開放位置に移動して離れ、文字盤ピースが閉鎖位置にある場合に通常隠されている小群の彫刻を明らかにする。
【０００３】
グラップ等に付与された米国特許第５，７４０，１３０号には、電界効果又は帯電効果光シャッターにより、光シャッターの状態の変化に応じて計時器の後面を背にして配置された装飾的デザインを表したり隠したりできる計時器が示してある。
【０００４】
従来技術における様々な開発にも拘わらず、電動モータ又は任意の種類の電気装置に頼らずに文字盤を容易に変更できる計時器が必要とされている。
【特許文献１】
米国特許第５，１６１，１３０号
【特許文献２】
米国特許第５，７４０，１３０号
【発明の開示】
【発明が解決しようとする課題】
【０００５】
本発明の別の目的は、容易に変更可能な文字盤を持つ計時器を提供することである。
本発明の更に別の目的は、ベゼルを回転させることによって文字盤を変更できる、変更可能な文字盤を持つ計時器を提供することである。
【０００６】
本発明の他の目的は、ボタンをスライドさせることによって文字盤を変更できる、変更可能な文字盤を持つ計時器を提供することである。
本発明の更に他の目的は、ボタンを押すことによって文字盤を変更できる変更可能な文字盤を持つ計時器を提供することである。
【０００７】
本発明の別の目的は、個々に選択できる複数の変更可能な文字盤を持つ計時器を提供することである。
本発明の更に別の目的は、様々な大きさ及びスタイルで製造できる、変更可能な文字盤を持つ計時器を提供することである。
【０００８】
本発明の更に他の目的は、構成部品が比較的少数であり、これらの構成部品の各々が低容積で比較的低価格で製造できるためにユニットの価格が比較的低くなる変更可能な文字盤を持つ計時器を提供することである。
【０００９】
以上の及び他の目的及び利点は、下文において更に明らかになるであろう。
【課題を解決するための手段】
【００１０】
本発明によれば、ハウジングに取り付けられた回転自在のベゼルを含む変更可能な文字盤を持つ計時器が提供される。ハウジングの内側の収納領域は、複数の折り畳んだ又はくしゃくしゃにしたセクタエレメントを収納する。各セクタエレメントは、湾曲したばね様ワイヤに取り付けられた頂部及びハウジングに取り付けられたベースを有する。ベゼルを回転させることによってベゼルのエレメントでワイヤを収納領域から押し出し、ハウジングに取り付けられた従来の中実の文字盤をワイヤ及びセクタエレメントで覆い、これによって文字盤の外観を変更する。セクタ部材には、様々な印が形成されている。
【００１１】
本発明の変形例では、回転ベゼルに代えてスライドボタン及び／又は押しボタンを使用する。
本発明の別の変形例では、ワイヤ部材及びセクタエレメントからなる多数のアッセンブリが互いに重ねて従来の文字盤の上方に取り付けられる。
【００１２】
本発明の更に別の変形例では、中実の文字盤及び／又はハウジングが透明材料で形成される。
本発明のこの他の重要な目的及び利点は、以下の詳細な説明を添付図面と関連して読むことにより明らかになるであろう。
【００１３】
本発明によれば、変更可能な文字盤を持ち、回転自在に取り付けられたベゼルを支持するハウジングを含む計時器が提供される。ベゼルの内面には、ハウジングの周囲に沿って形成された収納領域に収納された一連の予備成形ワイヤ部材の外端と係合する一連の窪みが設けられている。ワイヤ部材の各々の内端は、可撓性セクタエレメントの先端に連結されている。可撓性セクタエレメントは、全体に三角形形体であり、湾曲した縁部が頂部で出会い、湾曲したベース縁部がハウジングの湾曲と同じ形態をとる。ベース縁部は、接着剤又は他の取り付け手段によってハウジングに固定されている。折り畳み状態では、可撓性セクタエレメントは、ハウジングの内壁に沿って折り畳まれている。
【００１４】
計時器の外観を変更するのが望ましい場合には、ベゼルを回すことによってワイヤ部分を収納チャンバから押し出し、時針を支持する計時器中央シャフトに向かってワイヤ部材を内方に駆動する。
【００１５】
ワイヤ部材の内端は可撓性セクタエレメントを拡張状態即ち展開状態に引っ張る。この状態では、ハウジングに取り付けられた従来の文字盤を可撓性セクタエレメントが完全に覆う。可撓性セクタエレメントには、所望の様々な印が付けてあり、これによって計時器の外観を可逆的に変更する。
【００１６】
本発明の変形例では、回転ベゼルに代えてスライドボタン及び／又は押しボタンを使用する。
本発明の別の実施例では、ワイヤ部材及び可撓性セクタエレメントを含む多数のアッセンブリが互いに重ねられて、及び従来の文字盤の上に取り付けられる。三つのアッセンブリの各々は押しボタンによって制御され、個々に展開でき、これによって計時器に所定範囲の別の外観を提供する。
【発明を実施するための最良の形態】
【００１７】
同じ又は対応する部品に同じ参照番号が付してある添付図面を参照すると、これらの図１乃至図１５には、本発明に従って形成された変更可能な文字盤１０を持つ計時器が示してある。
【００１８】
図１乃至図５は、本発明の第１実施例１０を示す。この実施例では、計時器のケース即ちハウジング１２は、回転自在に取り付けられたベゼル１４を有する。
ベゼルの外面１６には、ベゼル１４を回し易くするぎざぎざが付けてある。図１及び図２は、ハウジング１２に従来の方法で取り付けられた従来の文字盤２０を示す。例として、文字盤２０には１乃至１２のアラビア数字２２が付けてある。
【００１９】
図２及び図３に示すように、ベゼル１４は、ハウジング１２の表面２４、２６、２８間に回転自在に取り付けられている。ハウジング１２は、折り畳んだ又はくしゃくしゃにした複数の可撓性セクタエレメント３２を収容する領域３０を含む。セクタエレメントは本発明の重要な特徴を形成する。各セクタエレメント３２は、一対の湾曲した縁部３４、３６によって画成されている。これらの縁部は、時針４０、４２、４４を支持する計時器１０の中央シャフト３８に向かって差し向けられた頂部５８を形成する。各セクタエレメント３２は、予備成形した湾曲したばね様ワイヤ４６を有する。
【００２０】
図２及び図３に示す折り畳み状態では、セクタエレメント３２は、従来の中実の文字盤２０の直ぐ上に配置された領域３０内に示してある。ベゼル１４の内面には、セクタエレメント３２を支持するワイヤ４６の端部５２と係合する複数の戻り止め４８、５０が設けられている。
【００２１】
図２及び図３に示す折り畳み状態では、ワイヤ４６は、ベゼル１４の内面４５及びハウジングの壁５６によって画成された収納領域５４内に配置されている。
可撓性セクタエレメント３２の頂部５８は、ワイヤ４６の内端に取り付けられている。各可撓性セクタエレメント３２のベース縁部６２は、接着剤層又は他の従来の取り付け手段によってハウジング１２の壁５６に取り付けられている。
【００２２】
ベゼル１４を図３及び図４に矢印６４で示す方向に回転させることによって、ベゼル１４の戻り止め４８、５０でワイヤ４６の端部５２を図４に示すように押す。これによりワイヤ４６をハウジング１２の穴６６を通して中央シャフト３８に向かって移動させ、これによって従来の文字盤２０を可撓性セクタエレメント３２で完全に覆う。セクタエレメント３２には、図４及び図５に示すローマ数字６８等の様々な表示が付けてある。
【００２３】
ベゼル１４の回転方向を逆にし、セクタエレメント３２を引っ込めて再び折り畳み状態にし、かくして計時器１０の元の外観を取り戻す。
かくして、セクタ３２は、ベゼル１４の回転に応じて、従来の文字盤２０を覆ったり露呈したりし、計時器１０の外観を迅速に且つ可逆的に変更する。
【００２４】
図６乃至図９は、ハウジング１０６に回転自在に取り付けられたリングギヤ１０４に内ギヤ歯１０２が形成された本発明の第２実施例１００を示す。複数のピニオン１０８がハウジング１０６に回転自在に取り付けられている。ピニオン１０８は、リングギヤ１０４と各々噛み合っている。各ピニオン１０８は、ピニオン１０８に対して全体に半径方向配向で取り付けられた湾曲したワイヤ１１０を支持する。
【００２５】
ワイヤ１１０は、可撓性セクタエレメント１１２を支持する。これらのエレメントは、図１乃至図５に示す本発明の第１実施例１０と関連して上文中に説明した可撓性セクタエレメント３２と同様である。
【００２６】
リングギヤ１０４の外面１１４はシャフト１１６を支持する。このシャフトは、ハウジング１０６に形成された凹所１２０内で摺動するスライドボタン１１８を含む。スライドボタン１１８を図６に示す位置から図９に示す位置まで図９に矢印１２２で示す方向に移動することによりピニオン１０８を回転し、これによってワイヤ１１０を図９に示す位置まで回転し、これによって従来の文字盤を可撓性セクタエレメント３２によって上文中に説明した方法で覆い、計時器１００の外観を変更する。
【００２７】
図１０乃至図１２は、押しボタン２０２によって作動させる本発明の第３実施例２００を示す。押しボタン２０２は、複数のラック歯２０６が形成されたシャフト２０４に連結されている。
【００２８】
ラック歯２０６は、シャフト２１０に取り付けられたピニオン２０８と噛み合っている。図１１に示すように、ギヤ２１２がシャフト２１０に取り付けられており、ギヤ２１２がリングギヤ２１４と噛み合っている。ギヤ２１２は、リングギヤ２１４と噛み合った複数の同じギヤ２１６の一つである。上文中に説明したように、湾曲したワイヤ２１６がギヤ２１２、２１６の各々に取り付けられている。これらの湾曲したワイヤ２１６は、上文中に説明したセクタエレメント２１８を支持する。
【００２９】
押しボタン２０２を図１１に破線２２０で示す位置から実線２２２で示す位置まで押し込み、ギヤ２１２及びピニオン２０８を回転させる。これによってリングギヤ２１４を回転させることによりギヤ２１６を回転しワイヤ２１６を図１０に示す折り畳み位置２２４まで移動する。リングギヤ２１４は、更に、押しボタン２２８を外方に駆動する。
【００３０】
押しボタン２２８を内方に押したとき、湾曲したワイヤ２１６が図１２に示す開放位置まで回転し、セクタエレメント２１８が拡がり、文字盤２３０を覆い、計時器２００の外観を変更する。押しボタン２０２は図１２に示すように外方に駆動され、かくして次の作動サイクルの準備ができる。
【００３１】
図１３乃至図１５は、三つのアッセンブリ３０２、３０４、３０６を組み込んだ本発明の第４実施例３００を示す。これらのアッセンブリの各々は、スライドボタン３０８、３１０、３１２によって個々に作動される。これらのボタン３０８、３１０、３１２の各々は、リングギヤ３１４、３１６、３１８に取り付けられている。リングギヤ３１４、３１６、３１８は、ハウジング３３２に取り付けられた複数のギヤ３２０、３２２、３２４と噛み合う。上文中に説明したように、湾曲したワイヤ３２６がギヤ３２０、３２２、３２４の各々に取り付けられており、湾曲したワイヤ３２６が上文中に説明したのと同様のセクタエレメント３２８を支持する。
【００３２】
図１４及び図１５に示すように、スライドボタン３０８は図１５に矢印３３０で示す方向に移動でき、これによって、リングギヤ３１４を回転し、湾曲したワイヤ３２６を拡張位置まで回転させる。スライドボタン３０８、３１０、３１２の各々は、ワイヤ３２６を図１３に示す折り畳み位置から図１５に示す拡張位置まで可逆的に移動するために個別に作動できる。
【００３３】
三つのアッセンブリ３０２、３０４、３０６の部分であるセクタエレメント３２８には、好ましくは、異なるものが描かれており、これによって、使用者に従来の文字盤３３０の他に三つの異なる文字盤を提供する。
【００３４】
ここに示してない本発明の別の実施例の別のグループでは、変更可能な文字盤を持つ計時器の構造は、従来の文字盤２０が透明材料製の中実の文字盤に変えてあることを除き、上文中に説明したのと同じ四つの実施例１０、１００、２００、及び３００のうちの任意の一つの実施例と同じである。
【００３５】
ここに示してない別の実施例の更に別のグループでは、ハウジング１２が透明材料で形成してある。
上述の実施例の各々において、可撓性セクタエレメントは、布又はテキスタイル材料、ゴム様材料又はプラスチックフィルム材料を含む多くの可撓性材料のうちの任意の一つの材料で形成できる。
【００３６】
本明細書中に説明した本発明の以上の特定の実施例は単なる例示の目的である。本明細書の精神及び範囲内で、本明細書の要旨を逸脱することなく、様々な変形及び変更を行うことができる。
【図面の簡単な説明】
【００３７】
【図１】本発明に従って形成された、変更可能な文字盤を持つ計時器の全体の平面図である。
【図２】図１の拡大部分断面平面図である。
【図３】図２の３−３線に沿った断面図である。
【図４】ベゼルを回転させて文字盤の外観を変更した図２と同様の平面図である。
【図５】図４と同様の拡大部分断面平面図である。
【図６】スライド作動ボタンを組み込んだ図１の計時器の変形例の全体の平面図である。
【図７】図６と同様の拡大部分断面平面図である。
【図８】図７の８−８線に沿った断面図である。
【図９】文字盤の外観を変更するために移動されたスライドボタンを示す、図７と同様の部分平面図である。
【図１０】押しボタンを組み込んだ、図１の計時器の別の変形例の部分断面平面図である。
【図１１】図１０の１１−１１線に沿った部分断面図である。
【図１２】文字盤の外観を変更するために移動させた押しボタンを示す、図１０と同様の部分平面図である。
【図１３】主文字盤の他に変形例の文字盤を組み込んだ、図１の計時器の別の変形例の更に別の変形例の部分断面平面図である。
【図１４】図１３の１４−１４線に沿った部分断面図である。
【図１５】文字盤の外観を変更するために移動させた作動ボタンを示す、図１３と同様の部分平面図である。
【国際公開パンフレット】
2004522978.tif 000003
2004522978.tif 000004
2004522978.tif 000005
2004522978.tif 000006
2004522978.tif 000007
2004522978.tif 000008
2004522978.tif 000009
2004522978.tif 000010
2004522978.tif 000011
2004522978.tif 000012
2004522978.tif 000013
2004522978.tif 000014
2004522978.tif 000015
2004522978.tif 000016
2004522978.tif 000017
2004522978.tif 000018
2004522978.tif 000019
2004522978.tif 000020
2004522978.tif 000021
2004522978.tif 000022
【国際調査報告】
2004522978.tif 000023